(57)【特許請求の範囲】
【請求項１】
第１の照明器具を接続する第１の接続受け部を有しこの第１の接続受け部に接続された第１のコネクタおよび第２のコネクタを有する第１の接続部と、第２の照明器具を接続する第２の接続受け部を有しこの第２の接続受け部に接続された第３のコネクタおよび第４のコネクタを有する第２の接続部と、前記第１のコネクタおよび前記第３のコネクタを接続するコネタク受け部を有する予備点灯・投入部と、前記第２のコネクタおよび前記第４のコネクタを接続するコネタク受け部を有する測定部と、前記予備点灯・投入部の前記コネクタ受け部に第１のスイッチを介しておよび前記測定部の各コネタク受け部に第２のスイッチを介して給電するものであって前記第１の照明器具を点灯するための第１の電源と、前記予備点灯・投入部のコネクタ受け部に第３のスイッチを介しておよび前記測定部の前記コネタク受け部に第４のスイッチを介して給電するものであって前記第２の照明器具を点灯するための第２の電源とを備えたランプ特性自動測定装置。
【発明の詳細な説明】
【０００１】
【発明の属する技術分野】
この発明は、照明器具の特性を測定するランプ特性自動測定装置に関するものである。
【０００２】
【従来の技術】
従来の測定装置では、図７（ｂ）に示すように点灯回路は電源７０とスイッチ７１と測定用照明器具７２により構成している。また図７（ａ）に示すように測定部７３に照明器具を取付け、測定後照明器具を測定部７３から取外していた。
【０００３】
このように測定する照明器具の点灯回路は単純であり、かつ照明器具を測定部７３に直接取り付けた後、そのまま点灯を開始して測定を行なう単一の構成となっており、その照明器具の測定終了までつぎの照明器具を取り付けることができず、待ち時間のロスが多かった。
【０００４】
【発明が解決しようとする課題】
照明器具を点灯させてから安定状態に達するまでの時間は、照明器具の種類によるが、相当な時間を要するものがある。これを従来の単一構成の装置で測定すると、照明器具を取付けてから安定するまでの時間待たなければならず、時間的なロスが大きい。また、器具の取付け、取外しに時間がかかり測定以外の時間比率が大きいことも、測定効率が上がらない要因となっていた。
【０００５】
したがって、この発明の目的は、測定効率が向上することができるランプ特性自動測定装置を提供することである。
【０００６】
【課題を解決するための手段】
【００１０】
請求項１記載のランプ特性自動測定装置は、第１の照明器具を接続する第１の接続受け部を有しこの第１の接続受け部に接続された第１のコネクタおよび第２のコネクタを有する第１の接続部と、第２の照明器具を接続する第２の接続受け部を有しこの第２の接続受け部に接続された第３のコネクタおよび第４のコネクタを有する第２の接続部と、前記第１のコネクタおよび前記第３のコネクタを接続するコネタク受け部を有する予備点灯・投入部と、前記第２のコネクタおよび前記第４のコネクタを接続するコネタク受け部を有する測定部と、前記予備点灯・投入部の前記コネクタ受け部に第１のスイッチを介しておよび前記測定部の各コネタク受け部に第２のスイッチを介して給電するものであって前記第１の照明器具を点灯するための第１の電源と、前記予備点灯・投入部のコネクタ受け部に第３のスイッチを介しておよび前記測定部の前記コネタク受け部に第４のスイッチを介して給電するものであって前記第２の照明器具を点灯するための第２の電源とを備えたものである。
【００１１】
請求項１記載のランプ特性自動測定装置によれば、予備点灯・投入部と測定部との間で未測定の照明器具と測定済の照明器具を受渡しすることにより作業効率を向上できるとともに、スイッチの切り替えを制御することにより、測定すべき照明器具に応じて異なる電源を接続することができるのでさらに作業効率を向上できる。
【００１２】
【発明の実施の形態】
この発明の第１の実施の形態を図１から図４により説明する。図１はランプ点灯自動測定方法を説明するものであり、照明器具２の特性を測定する測定部１と、つぎに測定すべき照明器具３を保持するとともに照明器具３を予備点灯して測定部１に照明器具３を移動させる予備点灯・投入部４とを備えた装置を用いる。
【００１３】
この方法は、測定部１で照明器具２の特性を測定しながら、予備点灯・投入部４で照明器具３を予備点灯し、照明器具２の測定後に照明器具３を点灯したまま測定部１に移動させて測定し、照明器具２を予備点灯・投入部４により測定部１から復帰する。
【００１４】
図１により具体的に説明すると、図１（ａ）は予備点灯・投入部４に照明器具３を器具取付けする状態である。図１（ｂ）は予備点灯・投入部４から照明器具３を点灯したまま測定部１に移載すると同時に、測定部１で測定を終了した照明器具２を回収する状態である。図１（ｃ）は予備点灯・投入部４で照明器具２の器具取外しを行なう状態である。
【００１５】
図２および図３はランプ点灯自動測定装置の概略を示す。このランプ特性自動測定装置は、準備室の取付部１０と、測定部１と、予備点灯・投入部４を有する。
【００１６】
測定部１は、照明器具２を着脱自在に保持する第１の保持部および第２の保持部をもつ保持体１３を有する。この測定部１は図２に示すように、保持体１３を取付けた器具移動部１５と、ロボットである可動センサ部１６とから構成される。器具移動部１５は一対の支柱１７と、支柱１７間の桟１８とで門形に形成され、保持体１３は第１の保持部および第２の保持部を水平回転自在に保持し、モータにより水平回転駆動するとともに、桟１８に進退自在にかつ桟１８の長手方向に移動自在に取付けられ、それぞれモータにより進退移動できかつ桟１８に沿って移動できる。また桟１８が支柱１７に沿って上下移動自在に設けられ、モータにより上下移動する。可動センサ部１６は器具移動部１５の正面中央位置の床面に接近離間する方向（Ｘ軸）に延びるレール１９と、レール１９に移動自在に取付けられモータによりＸ軸方向に移動可能な支柱部２０と、この支柱部２０に上下移動（Ｙ軸）自在に設けられモータにより上下移動するセンサ取付部２１と、このセンサ取付部２１に着脱自在でかつ縦に首振り自在（α軸）に設けられモータにより回動する照度計、ＣＣＤカメラ等の測定機器２２から構成されている。Ｘ軸、Ｙ軸に沿った移動により照明器具１４に対して円弧状軌跡上を移動でき、同時にα軸のまわりの回転により測定機器２２を常に照明器具２に向けることができる。されに照明器具２が水平回転すると照明器具２のまわりの略下半球面上の配光特性を得ることができ、また照明器具２の位置を図２の上方の位置から下方に移動し、可動センサ部１６が照明器具２に対して上方に向かう円弧状に前記とほぼ同様に動作させて測定することにより上半球面の配光特性を得ることができ、全体として照明器具の全周の配光を得ることができる。
【００１７】
予備点灯・投入部４は、準備室の取付部１０よりつぎに測定するための照明器具３を受け取りかつ予備点灯した状態で照明器具３を測定部１に移動して保持体１３の第１の保持部および前記第２の保持部のうち空いているものに保持させ、かつ測定済の照明器具２を保持体１３の第１の保持部または第２の保持部から受け取り準備室に戻り、測定済の照明器具２を取外しさせる。実施の形態では支柱１７の可動センサ部１６側と反対側に並ぶ一対の支柱２６と各支柱２６の上端部に上下移動自在に取付けられ、モータにより上下移動可能なアーム２７と、アーム２７間に架設されて支柱１７に接近離間する水平方向に移動自在に取付けられモータにより移動可能な桟２８と、この桟２８の支柱１７に受渡し部２９とで構成されている。受渡し部２９は桟２８の長手方向および支柱１７に対して進退する方向の少なくともいずれかに移動自在でそれぞれモータにより移動可能に構成してもよい。
【００１８】
取付部１０は、これに取付けられた照明器具３を予備点灯・投入部４に受渡しするものである。
【００１９】
実施の形態では、測定部１と予備点灯・投入部４との間を遮光する開閉自在なシャッタ３１を設けている。このシャッタ３１は予備点灯・投入部４と取付部１０との間で照明器具２、３を受渡しする際に開き、測定時には閉じている。
【００２０】
これらの取付部１０、測定部１および予備点灯・投入部４の動作はコンピュータにより制御し、取付部１０と受渡し部２９との間および受渡し部２９と保持体１３の第１の保持部または第２の保持部との間の各受渡しも自動的に行なわれる。
【００２１】
このランプ点灯自動測定装置の動作について説明する。図３（ａ）は先に取付けた照明器具２を測定部１で測定中に、次に測定したい照明器具３を予備点灯・投入部４に人手で取付ける。その後、つぎに測定すべき照明器具３の予備点灯を開始する。図３（ｂ）は照明器具２の測定を終了したら、その照明器具２を消灯させて予備点灯・投入部４が回収すると同時に、照明器具３を点灯したまま測定部１に移載する。図３（ｃ）は測定部１で照明器具３の測定を開始し、この間に予備点灯・投入部４では照明器具２を人手で取り外し、測定すべき照明器具がある場合はつぎの照明器具を取付ける。以下、必要に応じて（ａ）〜（ｃ）を繰り返す。
【００２２】
図４は、２種類の電源４３、４４を照明器具２、３に応じて切り替える回路を示している。第１の接続部３５と、第２の接続部３６を有する。第１の接続部３５は第１の照明器具２を接続する第１の接続受け部３７を有し、この第１の接続受け部３７に接続された第１のコネクタ３８ａおよび第２のコネクタ３８ｂを有する。第２の接続部３６は、第２の照明器具３を接続する第２の接続受け部３９を有し、この第２の接続受け部３９に接続された第３のコネクタ４０ａおよび第４のコネクタ４０ｂを有する。
【００２３】
予備点灯・投入部４は、第１のコネクタ３８ａおよび第３のコネクタ４０ａを接続するコネタク受け部４１を有する。
【００２４】
測定部１は、第２のコネクタ３８ｂおよび第４のコネクタ４０ｂを接続するコネタク受け部４２を有する。
【００２５】
第１の電源４３は、予備点灯・投入部４のコネクタ受け部４１に第１のスイッチ４５を介しておよび測定部１のコネタク受け部４２に第２のスイッチ４６を介して給電するものであって第１の照明器具２を点灯する。
【００２６】
第２の電源４４は、予備点灯・投入部４のコネクタ受け部４１に第３のスイッチ４７を介しておよび測定部１のコネタク受け部４２に第４のスイッチ４８を介して給電するものであって第２の照明器具３を点灯する。
【００２７】
スイッチ４５〜４８はリレーを実施の形態とし、接点のオン／オフで回路の開閉ができる。コネクタ受け部４１は、第１のコネクタ３８ａおよび第３のコネクタ４０ａのいずれか片方に接続することができ、コネクタ受け部４２は、第２のコネクタ３８ｂおよび第４のコネクタ４０ｂのいずれか片方に接続することができる。第１の電源４３および第２の電源４４は電圧、周波数を任意に設定可能で、点灯させる照明器具２、３の仕様に合わせた値にその都度設定する。第１の電源４３および第２の電源４４の出力端にはそれぞれリレーを用いたスイッチ５０、５１を設けている。
【００２８】
なお、これらリレーのオン／オフ、コネクタの接続、電源の設定は全てコンピュータによって制御する。図４（ａ）〜（ｃ）の各回路において、太線は通電している回路で、破線は通電していない線を表している。
【００２９】
図４の動作について説明する。照明器具２の測定中に照明器具３を点灯し、照明器具２の測定後に照明器具３を点灯したまま移載するため、図４に示すように器具の点灯回路を切り替える。
【００３０】
図４（ａ）において、スイッチ５０、５１がオン、スイッチ４８がオフ、スイッチ４６がオンである。このとき、照明器具２の第２のコネタク３８ｂがコネクタ受け部４２に接続され、照明器具２の測定中であり、第１の電源４３で点灯している。又、予備点灯・投入部４に取付けられた照明器具３は、第３のコネクタ４０ａと接続されたコネタク受け部４１を介して第２の電源４４で点灯している。
【００３１】
図４（ｂ）において、照明器具２の測定が終了すると、まずスイッチ５０をオフする。これにより、照明器具２の点灯回路は遮断され、消灯する。その後コネタク受け部４２と第２のコネクタ３８ｂの接続を外す。つぎに照明器具２を予備点灯・投入部４に回収すると同時に、照明器具３を測定部１に移載する際に照明器具３の点灯状態を保持するために、移載の時にコネタク受け部４２と第４のコネタク４０ｂを接続してスイッチ４８をオンにする。すると、第２の電源４４から照明器具３への通電路はスイッチ４８を介する回路とスイッチ４７を介する回路の並列状態となる。
【００３２】
図４（ｃ）において、照明器具２の測定部１への移載が終了したら、スイッチ４７をオフし、コネタク受け部４１と第３のコネクタ４０ａの接続を外す。この状態で照明器具３の測定を行なう。この測定時間を利用して、人手で照明器具２を取り外す。続いて別の照明器具２′の測定を行いたい場合は予備点灯・投入部４に照明器具２′を取り付ける。これを第１の電源４３で予備点灯するために、コネタク受け部４１と第１のコネクタ３８ａを接続し、スイッチ５０、４５をオンにする。
【００３３】
以降、（ａ）〜（ｃ）と同様にリレーのオン／オフとコネクタの接続替えで、連続して測定を行なうことができる。
【００３４】
このランプ特性自動測定方法および装置によれば、照明器具２、３の特性を測定する測定部１と、予め人が外段取りで照明器具３を取付けたら予備点灯して測定部１に移載する予備点灯・投入部４と、移載中も点灯状態を中断させないための点灯切り替え回路とで構成し、先に取付けた照明器具２の測定中に、次に測定したい照明器具３を取付けて点灯させておき、照明器具２の測定終了後ただちに照明器具２を予備点灯・投入部４に回収すると同時に、照明器具３を点灯したまま測定部１に自動移載して測定を行なうサイクルを繰り返すことで、連続測定を行なえる。前の器具の測定中に外段取りで準備できしかも予備点灯により光束安定待ち時間が減らせるので、予備点灯機構がない場合と比べて約２倍の器具数が測定できる。
【００３５】
この発明の第２の実施の形態を図５および図６により説明する。すなわち、このランプ特性自動測定装置は、第１の実施の形態の第１の電源４３、４４をそれぞれ安定器５５、５６と、１００〜７００ＶのＡＣ安定化電源５７、５８と、１〜２４ＶのＤＣ安定化電源５９、６０とで構成している。ＡＣ安定化電源５７、５８はそれぞれ入力端を３φ、２００Ｖ、５０Ａの電源に接続し、ＤＣ安定化電源５９、６０はそれぞれ入力端を１φ、１００Ｖ、２０Ａの電源に接続している。ＡＣ安定化電源５７、５８と安定器５５、５６との間にそれぞれスイッチ６１ａ、６１ｂ、６２ａ、６２ｂを直列に接続し、ＤＣ安定化電源５９とスイッチ６１ａ、６２ａの接続点との間およびＤＣ安定化電源６０とスイッチ６１ｂ、６２ｂの接続点との間をそれぞれスイッチ６３ａ、６３ｂを介して接続している。そして、安定器５５をスイッチ４７、４８に接続し、安定器５６をスイッチ４５、４６に接続している。これらの安定器５５、５６は照明器具に応じて交換できる構成である。図４のスイッチ５０、５１は使用していない。スイッチ６２ａ、６３ａは連動し、スイッチ６２ｂ、６３ｂは連動する構成である。なおこれらの各スイッチもリレーを用いている。
【００３６】
図６は安定器５５、５６にそれぞれＡＣ安定化電源５７、５８を供給する例である。すなわち、スイッチ６１ａ、６２ａ、６１ｂ、６２ｂを閉じて安定器５５、５６にともにＡＣ安定化電源５７、５８の電力を供給している。図６（ａ）〜（ｃ）のその他の動作は図４（ａ）〜（ｃ）と同様である。
【００３７】
なお、この発明において、照明器具とは、照明器具およびランプ等を含む光源を指す。また、測定部１において、第１の保持部で第２の保持部を兼用し、測定済の照明器具を保持部から外し、未測定の照明器具を保持部に取付けるようにすることも可能である。
【００３８】
【発明の効果】
【００４０】
請求項１記載のランプ特性自動測定装置によれば、予備点灯・投入部と測定部との間で未測定の照明器具と測定済の照明器具を受渡しすることにより作業効率を向上できるとともに、スイッチの切り替えを制御することにより、測定すべき照明器具に応じて異なる電源を接続することができるのでさらに作業効率を向上できる。
【図面の簡単な説明】
【図１】この発明の第１の実施の形態のランプ特性自動測定方法の説明図である。
【図２】ランプ特性自動測定装置の概略斜視図である。
【図３】測定装置の動作を説明する概略斜視図であり、（ａ）は測定中に準備室で器具取付状態、（ｂ）は予備点灯状態で自動で移載する状態、（ｃ）はシャッタを開き、点灯したまま測定室へ移動し、測定終了器具は排出する状態である。
【図４】点灯回路の切り替え動作を説明する回路図で、（ａ）は測定中に予備点灯を行なっている状態、（ｂ）は測定後に予備点灯した照明器具を消灯することなく測定部より給電する切り替えを行なう状態、（ｃ）は予備点灯・投入部に測定済の照明器具を回収した後予備点灯・投入部につぎに待機の照明器具を受け取らせて予備点灯する状態である。
【図５】第２の実施の形態の点灯回路図である。
【図６】その動作状態の回路図を示し、（ａ）は予備点灯および測定点灯の状態、（ｂ）は予備点灯から測定点灯への切り替え途中の状態、（ｃ）はつぎに測定する照明器具の予備点灯および測定点灯の状態である。
【図７】（ａ）は従来例を説明するブロック図、（ｂ）はその点灯回路図である。
【符号の説明】
１    測定部
２    照明器具
３    照明器具
４    予備点灯・投入部
１０    取付部
３５    第１の接続部
３６    第２の接続部
３７    第１の接続受け部
３８ａ    第１のコネクタ
３８ｂ    第２のコネクタ
３９    第２の接続受け部
４０ａ    第３のコネクタ
４０ｂ    第４のコネクタ
４１    第１のコネクタ受け部
４２    第２のコネクタ受け部
４３    第１の電源
４４    第２の電源
４５    第１のスイッチ
４６    第２のスイッチ
４７    第３のスイッチ
４８    第４のスイッチ
【図１】
0003705062.tif 000002
【図２】
0003705062.tif 000003
【図３】
0003705062.tif 000004
【図４】
0003705062.tif 000005
【図５】
0003705062.tif 000006
【図６】
0003705062.tif 000007
【図７】
0003705062.tif 000008